(57)【要約】      （修正有）【課題】任意の双方向から引っ張って緩みを調整し、保護具の滑り落ちを防止でき、且つ加圧調整ベルトの弾性及び通気性に優れ、良好な防護効果があり、着用しやすく、構造が簡単である多機能の加圧調整運動保護具を提供する。【解決手段】運動保護具は、編み本体１０及び加圧調整ベルト２０を含み、加圧調整ベルトは編み本体と固定接続され、加圧調整ベルトは弾性ベルト２１、第一ベルトヘッド２２及び第二ベルトヘッド２３を含み、弾性ベルトの正面に第一面ファスナー３１が設置され、第一ベルトヘッド及び第二ベルトヘッドの裏面に第一面ファスナーと係合して接着された第二面ファスナー３２が設置され、弾性ベルトの片端に第二ベルトヘッド及び弾性ベルトの他端が通り抜けるための貫通孔２０１が開設されている。貫通孔は第一ベルトヘッドの近くに位置する。【選択図】図３
0003223240.tif 000002
【実用新案登録請求の範囲】
【請求項１】
編み本体及び加圧調整ベルトを含み、該加圧調整ベルトは編み本体と固定して接続され、加圧調整ベルトは弾性ベルト及び弾性ベルトの両端と接続された第一ベルトヘッド及び第二ベルトヘッドを含み、該弾性ベルトの正面に第一面ファスナーが設置されており、第一ベルトヘッド及び第二ベルトヘッドの裏面に第一面ファスナーと係合して接着された第二面ファスナーが設置されており、且つ弾性ベルトの片端に第二ベルトヘッド及び弾性ベルトの他端が通り抜けるための貫通孔が開設されており、貫通孔は第一ベルトヘッドに近いことを特徴とする多機能の加圧調整運動保護具。
【請求項２】
前記編み本体は円筒状構造であることを特徴とする請求項１に記載の多機能の加圧調整運動保護具。
【請求項３】
前記加圧調整ベルトは接続線を介して編み本体の頂部の縁と固定して接続されることを特徴とする請求項１に記載の多機能の加圧調整運動保護具。
【請求項４】
前記第一面ファスナーは面ファスナー毛付け面であり、面ファスナー毛付け面は第一ベルトヘッド及び第二ベルトヘッドの正面に覆われ、該第二面ファスナーは面ファスナー裏面であることを特徴とする請求項１に記載の多機能の加圧調整運動保護具。
【請求項５】
前記弾性ベルトの裏面に通気孔が密集して均等に分布されていることを特徴とする請求項１に記載の多機能の加圧調整運動保護具。
【請求項６】
前記弾性ベルトの片端と弾性ベルトの他端との間に開口が形成されていることを特徴とする請求項１に記載の多機能の加圧調整運動保護具。
【請求項７】
前記弾性ベルトの両端の下縁と編み本体の他端との間に通気口が形成されていることを特徴とする請求項１に記載の多機能の加圧調整運動保護具。
【請求項８】
前記編み本体は上下部に設置された二つの部分であり、該加圧調整ベルトは上下の二つの部分の編み本体の間に接続されていることを特徴とする請求項１に記載の多機能の加圧調整運動保護具。
【請求項９】
前記加圧調整ベルトは二つであり、それはそれぞれ編み本体の頂部の縁位置及び底部の縁位置に位置することを特徴とする請求項１に記載の多機能の加圧調整運動保護具。
【考案の詳細な説明】
【技術分野】
【０００１】
本実用新案は運動用品分野の技術に関し、特に多機能の加圧調整運動保護具である。
【背景技術】
【０００２】
運動保護具は運動中の利用者が傷害を受けないように保護するための着用装備である。一般的に頭保護具、肩保護具、手保護具、肘保護具、腕保護具、腰保護具、足保護具、膝保護具、膝蓋骨保護具、踝保護具、組み合わせ運動保護具、他の運動保護具に分けられる。
現在市場上で販売されている編み運動保護具は、運動で着用する際、滑り落ちる現像が発生し、着用ステップが複雑であり、加圧の保護効果が劣り、消費者に使いにくいという印象を与える。従って、現在の運動保護具を改善する必要がある。
【考案の概要】
【０００３】
この点を鑑みて、本実用新案は従来技術に存在している欠点に対して、その目的は多機能の加圧調整運動保護具を提供し、それは従来の運動保護具が運動で着用する際、滑り落ちやすいという問題を解決することである。
【０００４】
上記目的を実現するために、本実用新案は下記の技術的解決手段を用いる。
【０００５】
加圧調整運動保護具であって、それは編み本体及び加圧調整ベルトを含み、該加圧調整ベルトは編み本体と固定して接続され、加圧調整ベルトは弾性ベルト及び弾性ベルトの両端と接続された第一ベルトヘッド及び第二ベルトヘッドを含み、該弾性ベルトの正面に第一面ファスナーが設置されており、第一ベルトヘッド及び第二ベルトヘッドの裏面に第一面ファスナーと係合して接着された第二面ファスナーが設置されており、且つ弾性ベルトの片端に第二ベルトヘッド及び弾性ベルトの他端が通り抜けるための貫通孔が開設されており、貫通孔は第一ベルトヘッドに近い。
【０００６】
好ましくは、前記編み本体が円筒状構造である。
【０００７】
好ましくは、前記加圧調整ベルトが接続線を介して編み本体の頂部の縁と固定して接続される。
【０００８】
好ましくは、前記第一面ファスナーが面ファスナー毛付け面であり、面ファスナー毛付け面が第一ベルトヘッド及び第二ベルトヘッドの正面に覆われ、該第二面ファスナーが面ファスナー裏面である。
【０００９】
好ましくは、前記弾性ベルトの裏面に通気孔が密集して均等に分布されている。
【００１０】
好ましくは、前記弾性ベルトの片端と弾性ベルトの他端との間に開口が形成されている。
【００１１】
好ましくは、前記弾性ベルトの両端の下縁と編み本体の他端との間に通気口が形成されている。
【００１２】
好ましくは、前記編み本体は上下部に設置された二つの部分であり、該加圧調整ベルトは上下の二つの部分の編み本体の間に接続されている。
【００１３】
好ましくは、前記加圧調整ベルトは二つであり、それはそれぞれ編み本体の頂部の縁位置及び底部の縁位置に位置する。
【００１４】
本実用新案は従来技術と比べて顕著な利点及び有益な効果を有し、具体的には、上記技術的解決手段から分かるように、加圧調整ベルトを設置し、加圧調整ベルトを用いて編み本体と接続し、且つ加圧調整ベルト上に貫通孔を設置することによって、第二ベルトヘッド及び弾性ベルトの他端を通り抜けさせ、これによって本製品は任意の双方向から引っ張って緩みを調整し、保護具を着用することが滑り落ちるように効果的に防止することができ、且つ加圧調整ベルトの弾性及び通気性に優れており、良好な防護効果があり、着用しやすく、構造が簡単であり、利用者の利用に便利性をもたらす。
【００１５】
本実用新案の構造特徴と効能をより明確に説明するために、次は添付図及び発明を実施するための実施例を踏まえて本実用新案を詳細に説明する。
【図面の簡単な説明】
【００１６】
【図１】本実用新案の第一の好ましい実施例における加圧調整ベルトの正面概略図である。
【図２】本実用新案の第一の好ましい実施例における加圧調整ベルトの裏面概略図である。
【図３】本実用新案の第一の好ましい実施例における第一利用状態概略図である。
【図４】本実用新案の第一の好ましい実施例における第二利用状態立体図である。
【図５】本実用新案の第一の好ましい実施例における第三利用状態概略図である。
【図６】本実用新案の第二の好ましい実施例における利用状態概略図である。
【図７】本実用新案の第三の好ましい実施例における利用状態概略図である。
【考案を実施するための形態】
【００１７】
図１から図５に示すように、それは本実用新案の第一の好ましい実施例の具体的な構造を示し、編み本体１０及び加圧調整ベルト２０を含む。
【００１８】
前記編み本体１０は円筒状構造であり、それは人体の関節上に嵌着するために用いられる。
【００１９】
該加圧調整ベルト２０は編み本体１０と固定して接続され、加圧調整ベルト０は弾性ベルト２１及び弾性ベルト２１の両端と接続された第一ベルトヘッド２２及び第二ベルトヘッド２３を含み、該弾性ベルト２１の正面に第一面ファスナー３１が設置されており、第一ベルトヘッド２２及び第二ベルトヘッド２３の裏面に第一面ファスナー３１と係合して接着された第二面ファスナー３２が設置されており、且つ弾性ベルト２１の片端に第二ベルトヘッド２３及び弾性ベルト２１の他端が通り抜けるための貫通孔２０１が開設されており、貫通孔２０１は第一ベルトヘッド２２に近い。
【００２０】
本実施例において、前記弾性ベルト２１の裏面に通気孔２０２が密集して均等に分布されており、前記弾性ベルト２１の片端と弾性ベルトの他端との間に開口２０３が形成されており、且つ、前記弾性ベルト２１の両端の下縁と編み本体１０の他端との間に通気口２０４が形成されており、該第一ベルトヘッド２２及び第二ベルトヘッド２３はそれぞれ弾性ベルト２１の両端と一体として成形して接続されており、第一ベルトヘッド２２及び第二ベルトヘッド２３の外端部はいずれもフィレット構造である。
【００２１】
さらに、前記加圧調整ベルト２０は接続線３３を介して編み本体１０の頂部の縁と固定して接続され、前記第一面ファスナー３１は面ファスナー毛付け面であり、面ファスナー毛付け面は第一ベルトヘッド２２及び第二ベルトヘッド２３の正面に覆われ、該第二面ファスナー３２は面ファスナー裏面である。
【００２２】
具体的な本実施例の利用方法は以下のとおりである。
利用の際、編み本体１０を人体の関節上に嵌め、続いて、第二ベルトヘッド２３を弾性ベルト２１の裏面から貫通孔２０１に通り抜け、且つ第一ベルトヘッド２２及び第二ベルトヘッド２３をそれぞれ二つの反対する方向へ引っ張り、加圧調整ベルト２０を人体上にぴんと張り、続いて、また第一ベルトヘッド２２及び第二ベルトヘッド２３上の第二面ファスナー３２を第一面ファスナー３１の対応する位置と接着して固定すればよく、こうすると、本製品を人体上にしっかり固定することができ、簡単に滑り落ちない。
【００２３】
図６に示すように、それは本実用新案の第二の好ましい実施例の具体的な構造を示し、本実施例の具体的な構造は前述した第一の好ましい実施例の具体的な構造と基本的に同じであり、同じではないのは以下のとおりである。
【００２４】
本実施例において、前記編み本体１０は上下部に設置された二つの部分であり、該加圧調整ベルト０は上下の二つの部分の編み本体１０の間に接続される。
【００２５】
図７に示すように、それは本実用新案の第三の好ましい実施例の具体的な構造を示し、本実施例の具体的な構造は前述した第一の好ましい実施例の具体的な構造と基本的に同じであり、同じではないのは以下のとおりである。
【００２６】
本実施例において、前記加圧調整ベルト２０は二つであり、それはそれぞれ編み本体１０の頂部の縁位置及び底部の縁位置に位置する。
【００２７】
本実用新案の設計ポイントは以下のとおりである。加圧調整ベルトを設置し、加圧調整ベルトを用いて編み本体と接続し、且つ加圧調整ベルト上に貫通孔を設置することによって、第二ベルトヘッド及び弾性ベルトの他端を通り抜けさせ、これによって本製品は任意の双方向から引っ張って緩みを調整し、保護具を着用することが滑り落ちるように効果的に防止することができ、且つ加圧調整ベルトの弾性及び通気性に優れており、良好な防護効果があり、着用しやすく、構造が簡単であり、利用者の利用に便利性をもたらす。
【００２８】
以上は具体的な実施例を踏まえて本実用新案の技術的原理を説明したものである。これらの説明は本実用新案の原理を解釈するだけで、任意の方式で本実用新案の保護範囲を限定するものではない。この解釈に基づき、当業者は創造的な労働をしない前提で本実用新案の他の発明を実施するための形態を連想することができ、これらの方式はいずれも本実用新案の保護範囲に含まれる。
【符号の説明】
【００２９】
１０  編み本体
２０  加圧調整ベルト
２１  弾性ベルト
２２  第一ベルトヘッド
２３  第二ベルトヘッド
２０１  貫通孔
２０２  通気孔
２０３  開口
２０４  通気口
３１  第一面ファスナー
３２  第二面ファスナー
３３  接続線
【図１】
0003223240.tif 000003
【図２】
0003223240.tif 000004
【図３】
0003223240.tif 000005
【図４】
0003223240.tif 000006
【図５】
0003223240.tif 000007
【図６】
0003223240.tif 000008
【図７】
0003223240.tif 000009